(57)【要約】【課題】収容部を増大させることなく、使用時にインパネラインから突出するミラーを収容可能にして、インストルメントパネル周りの美観を低下させることのないヘッドアップディスプレイ装置及びこれに用いられるミラーユニットを提供する。【解決手段】使用時には、ミラー３ｃ１の一部が収容部１ａの開口部１ａ２の上方に突出し、不使用時には、使用時に突出していたミラー３ｃ１の一部が開口部１ａ２の下方に降下するように、ミラー３ｃ１がその反射面と略垂直な回転軸を中心に回転される。このように、回転運動だけでミラー３ｃ１全体を収容部１ａに納めることが可能になるので、ミラー収納のための駆動機構が簡易になる。また、ミラー３ｃ１全体を単にインストルメントパネル１内に押し込むのではなく、ミラー３ｃ１を回転させることにより収容部１ａ内に納めるようにしているので、収容部１ａが増大することがない。【選択図】図２
2005331831.tif 000002
【特許請求の範囲】
【請求項１】
所定の表示像を表示出力する表示デバイスと、
前記表示像をウインドシールド側に反射させる光学部材と、
インストルメントパネルに埋設され、前記表示デバイス及び前記光学部材を収容可能な収容部と、
前記収容部の開口部を覆うインパネカバーと、を備えたヘッドアップディスプレイ装置であって、
使用時には、前記表示像を運転席に着座したドライバーに視認させるために、前記光学部材の一部を前記収容部の上方に突出させ、
不使用時には、前記表示像を前記ドライバーに視認させることを無視し、使用時に突出していた前記光学部材の一部を前記収容部に収納させる、光学部材制御機構、
を備えることを特徴とするヘッドアップディスプレイ装置。
【請求項２】
所定の表示像を表示出力する表示デバイスと、
前記表示像をウインドシールド側に反射させるミラーと、
インストルメントパネルに埋設され、前記表示デバイス及び前記ミラーを収容可能な収容部と、
前記収容部の開口部を覆うインパネカバーと、を備えたヘッドアップディスプレイ装置であって、
使用時には、前記ミラーの一部が前記収容部の開口部の上方に突出し、
不使用時には、使用時に突出していた前記ミラーの一部が前記開口部の下方に降下するように、前記ミラーをその反射面と略垂直な回転軸を中心に回転させるミラー回転機構、
を備えることを特徴とするヘッドアップディスプレイ装置。
【請求項３】
請求項２記載のヘッドアップディスプレイ装置において、
前記インパネカバーは、
平板状であり、
前記ミラーの回転と連動して前記開口部と平行にスライドして、前記不使用時には、前記インストルメントパネルと面一になるように前記開口部を覆う、
ことを特徴とするヘッドアップディスプレイ装置。
【請求項４】
請求項２又は請求項３記載のヘッドアップディスプレイ装置において、
運転席に着座したドライバーのアイレンジの高低に応じて、前記使用時における前記ミラーの前記アイレンジに対する角度を調整可能なアイレンジ調整機構、
を更に備えることを特徴とするヘッドアップディスプレイ装置。
【請求項５】
インストルメントパネルに埋設され、所定の表示像を表示出力する表示デバイスと前記表示像をウインドシールド側に反射させるミラーとを収容可能な収容部を備えるヘッドアップディスプレイ装置に用いられ、
前記ミラーをその反射面と略垂直な回転軸を中心に回転させるミラー回転機構と、
前記ミラー回転機構が取りつけられ、
使用時には、前記ミラーの一部が前記収容部の開口部の上方に突出し、
不使用時には、使用時に突出していた前記ミラーの一部が前記開口部の下方に降下するように、前記収容部の内壁に固定される固定部と、
を備えることを特徴とするミラーユニット。
【発明の詳細な説明】
【技術分野】
【０００１】
本発明は、車両等に搭載されるヘッドアップディスプレイ装置及びこれに用いられるミラーユニットに関し、特に、インストルメントパネルに埋設され、表示デバイスからの表示像をウインドシールド側に反射させるミラーを備えるヘッドアップディスプレイ装置及びこれに用いられるミラーユニットに関する。
【背景技術】
【０００２】
近年、車両等には、図２（Ａ）に示すように、インストルメントパネル（単に、インパネともよぶ）１に埋設された表示デバイス５の表示像をミラー３ｃ１によりウインドシールド６に反射させて、ドライバに視認させるヘッドアップディスプレイ装置が搭載されることがある。なお、図２は、背景技術の説明にも用いているが、本発明の従来例ではない。
【０００３】
ところで、安全面等の観点から、インストルメントパネル１の高さには制限が設けられている。一方、インストルメントパネル１内のスペース７には、エアコン装置に連通するエアダクト、補強部材、ワイヤーハーネス等の多くの部材が配置されることが多くなっている。
【０００４】
ウインドシールド６の形状や傾き等によっては、ある程度、ウインドシールド６に近接させてミラー３ｃ１を配置せざるを得ないこともあるが、上述のようなインストルメントパネル１の高さ制限により、使用時には、ミラー３ｃ１の一部がインストルメントパネル１のライン（単に、インパネラインともよぶ）から突出するように配置せざるを得なくなる場合がでてくる。
【０００５】
また、ヘッドアップディスプレイ装置は、不使用時である主に昼間には、ミラー３ｃ１を隠蔽したり防塵したりすることが好ましい。このためには、不使用時には、ミラー３ｃ１を隠蔽したり防塵したりするための部材が必要となってくる。このような場合、不使用時には、ミラー３ｃ１全体を下方に平行移動させてインストルメントパネル１内に押し込み、その上方をカバー部材で隠蔽できればよいのだが、上述したように、インストルメントパネル１内に収容される部材類の増加傾向により、ミラー３ｃ１全体をインストルメントパネル１内に押し込むためのスペースをインストルメントパネル１内に割り当てるのは困難である。
【０００６】
すなわち、上述のようなインストルメントパネル１の高さ制限と、インストルメントパネル１内の収容部材の増加傾向により、ミラー３ｃ１の配置は使用時のままにして、不使用時には、このミラー３ｃ１を隠蔽及び防塵する必要がでてくる。
【０００７】
なお、所定の表示像を表示出力する表示デバイスからの表示像をウインドシールド側に反射させるミラーを備えるヘッドアップディスプレイ装置の一例として下記特許文献１に記載されたものがある。
【特許文献１】特開２００２−３３１８５５号公報
【発明の開示】
【発明が解決しようとする課題】
【０００８】
上述のように、ミラー３ｃ１の配置は使用時のままにして、不使用時にはミラー３ｃ１を隠蔽及び防塵するためには、収容部１ａの開口面、すなわち、インパネラインから突出するミラー３ｃ１の一部を覆うような形状のカバー部材が必要になる。
【０００９】
ところが、このようなカバー部材を用いると、不使用時にはインストルメントパネル１の上面の一部が隆起してしまい、この結果、インパネラインがくずれて美観が大きく低下することになる。また、使用時にも、このような形状のカバー部材を収納するスペースが必要となってくる。
【００１０】
よって本発明は、上述した現状に鑑み、収容部を増大させることなく、使用時にインパネラインから突出するミラーを収容可能にして、インストルメントパネル周りの美観を低下させることのないヘッドアップディスプレイ装置及びこれに用いられるミラーユニットを提供することを課題としている。
【課題を解決するための手段】
【００１１】
上記課題を解決するためになされた請求項１記載のヘッドアップディスプレイ装置は、所定の表示像を表示出力する表示デバイスと、前記表示像をウインドシールド側に反射させる光学部材と、インストルメントパネルに埋設され、前記表示デバイス及び前記光学部材を収容可能な収容部と、前記収容部の開口部を覆うインパネカバーと、を備えたヘッドアップディスプレイ装置であって、使用時には、前記表示像を運転席に着座したドライバーに視認させるために、前記光学部材の一部を前記収容部の上方に突出させ、不使用時には、前記表示像を前記ドライバーに視認させることを無視し、使用時に突出していた前記光学部材の一部を前記収容部に収納させる、光学部材制御機構、を備えることを特徴とする。
【００１２】
請求項１記載の発明によれば、使用時には、表示像をドライバーに視認させるために、光学部材の一部を収容部の上方に突出させ、不使用時には、表示像をドライバーに視認させることを無視し、使用時に突出していた光学部材の一部を収容部に収納させる。このように、不使用時には、表示像をドライバーに視認させることを無視し、すなわち、光学系を崩して、使用時に突出していた光学部材の一部を収容部に収納させるようにしているので、収容部が増大することがない。
【００１３】
上記課題を解決するためになされた請求項２記載のヘッドアップディスプレイ装置は、所定の表示像を表示出力する表示デバイスと、前記表示像をウインドシールド側に反射させるミラーと、インストルメントパネルに埋設され、前記表示デバイス及び前記ミラーを収容可能な収容部と、前記収容部の開口部を覆うインパネカバーと、を備えたヘッドアップディスプレイ装置であって、使用時には、前記ミラーの一部が前記収容部の開口部の上方に突出し、不使用時には、使用時に突出していた前記ミラーの一部が前記開口部の下方に降下するように、前記ミラーをその反射面と略垂直な回転軸を中心に回転させるミラー回転機構、を備えることを特徴とする。
【００１４】
請求項２記載の発明によれば、使用時には、ミラーの一部が収容部の開口部の上方に突出し、不使用時には、使用時に突出していたミラーの一部が開口部の下方に降下するように、ミラーがその反射面と略垂直な回転軸を中心に回転される。このように、回転運動だけでミラー全体を収容部内に納めることが可能になるので、ミラー収納のための駆動機構が簡易になる。また、ミラー全体を単にインストルメントパネル内に押し込むのではなく、ミラーを回転させることにより収容部内に納めるようにしているので、収容部が増大することがない。
【００１５】
上記課題を解決するためになされた請求項３記載のヘッドアップディスプレイ装置は、請求項２記載のヘッドアップディスプレイ装置において、前記インパネカバーは、平板状であり、前記ミラーの回転と連動して前記開口部と平行にスライドして、前記不使用時には、前記インストルメントパネルと面一になるように前記開口部を覆う、ことを特徴とする。
【００１６】
請求項３記載の発明によれば、インパネカバーは、不使用時にはインストルメントパネルと面一になるように収容部の開口部を覆う。また、インパネカバーは、平板状であり、ミラーの回転と連動してスライドする。
【００１７】
上記課題を解決するためになされた請求項４記載のヘッドアップディスプレイ装置は、請求項２又は請求項３記載のヘッドアップディスプレイ装置において、運転席に着座したドライバーのアイレンジの高低に応じて、前記使用時における前記ミラーの前記アイレンジに対する角度を調整可能なアイレンジ調整機構、を更に備えることを特徴とする。
【００１８】
請求項４記載の発明によれば、運転席に着座したドライバーのアイレンジの高低に応じてミラーの角度が調整可能である。
【００１９】
上記課題を解決するためになされた請求項５記載のミラーユニットは、インストルメントパネルに埋設され、所定の表示像を表示出力する表示デバイスと前記表示像をウインドシールド側に反射させるミラーとを収容可能な収容部を備えるヘッドアップディスプレイ装置に用いられ、前記ミラーをその反射面と略垂直な回転軸を中心に回転させるミラー回転機構と、前記ミラー回転機構が取りつけられ、使用時には、前記ミラーの一部が前記収容部の開口部の上方に突出し、不使用時には、使用時に突出していた前記ミラーの一部が前記開口部の下方に降下するように、前記収容部の内壁に固定される固定部と、を備えることを特徴とする。
【００２０】
請求項５記載の発明によれば、ミラーユニットを収容部に取り付けると、使用時には、ミラーの一部が収容部の開口部の上方に突出し、不使用時には、使用時に突出していたミラーの一部が開口部の下方に降下するように、ミラーがその反射面と略垂直な回転軸を中心に回転される。ミラーユニットは、ミラーを回転させることによりミラーを収容部内に納めるようにしているので、収容部が増大することがない。
【発明の効果】
【００２１】
請求項１記載の発明によれば、使用時には、表示像をドライバーに視認させるために、光学部材の一部を収容部の上方に突出させ、不使用時には、表示像をドライバーに視認させることを無視し、使用時に突出していた光学部材の一部を収容部に収納させる。このように、不使用時には、表示像をドライバーに視認させることを無視し、すなわち、光学系を崩して、使用時に突出していた光学部材の一部を収容部に収納させるようにしているので、収容部が増大することがない。したがって、インストルメントパネル上に隆起するカバー部材も不要となり、不使用時のインストルメントパネル周りの美観を低下させることがない。
【００２２】
請求項２記載の発明によれば、使用時には、ミラーの一部が収容部の開口部の上方に突出し、不使用時には、使用時に突出していたミラーの一部が開口部の下方に降下するように、ミラーがその反射面と略垂直な回転軸を中心に回転される。このように、回転運動だけでミラー全体を収容部内に納めることが可能になるので、ミラー収納のための駆動機構が簡易になる。また、ミラー全体を単にインストルメントパネル内に押し込むのではなく、ミラーを回転させることにより収容部内に納めるようにしているので、収容部が増大することがない。したがって、インストルメントパネル上に隆起するカバー部材も不要となり、不使用時のインストルメントパネル周りの美観を低下させることがない。
【００２３】
請求項３記載の発明によれば、インパネカバーは、不使用時にはインストルメントパネルと面一になるように収容部の開口部を覆うので、不使用時の美観を低下させることがない。また、インパネカバーは、平板状であり、ミラーの回転と連動してスライドするので、スペース効率もよい。
【００２４】
請求項４記載の発明によれば、運転席に着座したドライバーのアイレンジの高低に応じてミラーの角度が調整可能であるので、表示像の視認性も向上する。
【００２５】
請求項５記載の発明によれば、ミラーユニットを収容部に取り付けると、使用時には、ミラーの一部が収容部の開口部の上方に突出し、不使用時には、使用時に突出していたミラーの一部が開口部の下方に降下するように、ミラーがその反射面と略垂直な回転軸を中心に回転される。ミラーユニットは、ミラーを回転させることによりミラーを収容部内に納めるようにしているので、収容部が増大することがない。したがって、インストルメントパネル上に隆起するカバー部材を不要とし、不使用時のインストルメントパネル周りの美観を低下させることがない。
【発明を実施するための最良の形態】
【００２６】
以下、本発明の実施の形態を図面に基づいて説明する。まず、図１及び図２を用いて、本発明の一実施形態に係るヘッドアップディスプレイ装置について概略的に説明する。図１は、本発明の一実施形態に係るヘッドアップディスプレイ装置を概略的に示す斜視図である。図２（Ａ）及び図２（Ｂ）は、本発明の一実施形態に係るヘッドアップディスプレイ装置の使用時及び不使用時における状態をそれぞれ概略的に示す図である。なお、図１は、本ヘッドアップディスプレイ装置の使用時の状態に対応する。
【００２７】
図１及び図２（Ａ）に示すように、車両のフロント部のインストルメントパネル１には、本ヘッドアップディスプレイ装置の収容部１ａが埋設されている。収容部１ａの内壁は、基本的に平面状の箱形に形成されており、上面はインストルメントパネル１が矩形状に刳り抜かれて開口部１ａ２が形成されている。車両のフロント部のインストルメントパネル１には、運転席に着座したドライバーに対向するように、速度計、回転計等が一体化されたコンビネーションメータ２も配置されている。
【００２８】
収容部１ａ内には、所定の表示像を表示出力する液晶表示装置からで構成される表示デバイス５が取り付けられている。表示デバイス５の表示面に対向する収容部１ａの内壁１ａ１には、非球面の拡大ミラー３ｃ１（単に、ミラーともよび、請求項では光学部材に対応する）が対面するように配置される。拡大ミラー３ｃ１は、表示デバイス５からの表示像がドライバーから正視されるように、ウインドシールド６の形状や位置関係に依存して、非球面であり、使用時には、図１に示すように、やや傾斜して配置される。なお、拡大ミラー３ｃ１は、後述するミラーユニット３に含まれる。ミラーユニット３については、図３〜図６を用いて詳細に説明する。
【００２９】
収容部１ａの開口部１ａ２には、インパネカバー４がスライド可能に覆設される。インパネカバー４は、インストルメントパネル１と同色であり、開口部１ａ２と同形状で平板状をしている。インパネカバー４は、ミラー３ｃ１の回転運動と連動し、使用時には、図１及び図２（Ａ）に示すように、開口部１ａ２を全開し、不使用時には、インストルメントパネル１と面一になるように開口部１ａ２を覆う。インパネカバー４は、インストルメントパネル１と同色であり、不使用時にはインストルメントパネル１と面一になるように開口部１ａ２を覆うので、不使用時のインストルメントパネル１周りの美観を低下させることがない。また、インパネカバー４は、平板状であり、ミラー３ｃ１の回転と連動してスライドするので、スペース効率もよい。
【００３０】
使用時には、図１及び図２（Ａ）に示すように、ミラー３ｃ１の一部は開口部１ａ２の上方に突出する。この状態において、表示デバイス５の表示像は、開口部１ａ２から一部が突出するように傾いたミラー３ｃ１によりウインドシールド６に反射されて、着座したドライバのアイレンジＥＲに向かう。これにより、ドライバからは、ウインドシールド６を通過した車両前方の光景と、ウインドシールド６で反射された表示像とが同時に視認可能になる。
【００３１】
一方、不使用時には、使用時に突出していたミラー３ｃ１の一部が開口部１ａ２の下方に降下して、図２（Ｂ）に示すように、ミラー３ｃ１全体が収容部１ａ内に収まる。これと共に、インパネカバー４もインストルメントパネル１と面一となるように、開口部１ａ２に覆設される。使用時と不使用時と間のミラー３ｃ１の変位は、ミラー３ｃ１の反射面と略垂直な回転軸を中心にした回転運動にしたがう。なお、図２（Ｂ）において、４ａは、インパネカバー４のスライド領域を示す。
【００３２】
続いて、本発明の一実施形態に係るヘッドアップディスプレイ装置に用いられるミラーユニット３の構成について、図３〜図５を用いて説明する。図３（Ａ）及び図３（Ｂ）はそれぞれ、本発明の一実施形態に係るミラーユニット全体の正面図及び側面図である。図４（Ａ）及び図４（Ｂ）はそれぞれ、図３のミラーユニットにおける固定部の正面図及び側面図である。図５（Ａ）及び図５（Ｂ）はそれぞれ、図３のミラーユニットにおける固定部及び保持部の正面図及び側面図である。
【００３３】
図３に示すように、ミラーユニット３は、固定部３ａと、保持部３ｂと、ミラー部３ｃとから構成されている。ミラーユニット３は、固定部３ａが上記収容部１ａの壁１ａ１に沿うようにして取り付けられる。
【００３４】
固定部３ａは、図３〜図５に示すように、基本的に板状であり、ピン３ａ１、扇ギア３ａ２、アーム３ａ３、モータギアボックス３ａ４及びピニオンギア３ａ５を含んで構成される。固定部３ａにおけるモータギアボックス３ａ４等が搭載されいない面が、収容部１ａの壁１ａ１に沿うようにして取り付けられる。
【００３５】
ピン３ａ１は、ミラー３ｃ１の回転軸となるもので、後述の保持部３ｂの孔３ｂ３が挿通される。扇ギア３ａ２は、モータギアボックス３ａ４に内蔵されるモータの回転力がピニオンギア３ａ５を介して伝達され、回転軸３ａ２１を中心にして所定角度だけ回転する。扇ギア３ａ２の回転は、ピン３ａ３１、３ａ３２で連結されたアーム３ａ３を介して、保持部３ｂに伝達される。
【００３６】
また、保持部３ｂも、図３及び図５に示すように、基本的に板状であり、モータギアボックス３ｂ１、軸受部３ｂ２、孔３ｂ３を含んで構成される。モータギアボックス３ｂ１は、この保持部３ｂに重載されるミラー部３ｃを回転させるためのモータ及びギアを内蔵している。軸受部３ｂ２には、ミラー部３ｃの回転軸３ｃ３が搭置される。孔３ｂ３には、固定部３ａのピン３ａ１が挿通され、ここを中心に固定部３ａが回転することになる。
【００３７】
そして、ミラー部３ｃは、図３に示すように、拡大ミラー３ｃ１、ミラーホルダー３ｃ２、回転軸３ｃ３、３ｃ４を含んで構成される。拡大ミラー３ｃ１は、非球面の凹面鏡であり、ミラーホルダー３ｃ２により保持される。ミラーホルダー３ｃ２は、拡大ミラー３ｃ１の外形よりやや小さい矩形状の開口部を有する枠体である。回転軸３ｃ３は、ミラーホルダー３ｃ２の一短側面に設けられおり、上記保持部３ｂの軸受部３ｂ２に搭置される。
【００３８】
回転軸３ｃ４は、ミラーホルダー３ｃ２の他短側面に設けられおり、保持部３ｂに搭載されるモータギアボックス３ｂ１に挿通される。これにより、ミラー部３ｃは、モータギアボックス３ｂ１からの回転力を受けて、所定角度だけ傾倒可能になる。したがって、個々のドライバー対するアイレンジに対する角度が調整可能になる。なお、ピン３ａ１、扇ギア３ａ２、アーム３ａ３、モータギアボックス３ａ４、ピニオンギア３ａ５は、請求項中のミラー回転機構、光学部材制御機構に対応し、モータギアボックス３ｂ１、軸受部３ｂ２、回転軸３ｃ３、３ｃ４は、請求項中のアイレンジ調整機構に対応する。
【００３９】
続いて、図６を用いて、上記ミラーユニットの動作について、図６を用いて説明する。図６（Ａ）は、ミラーユニットにおける固定部及び保持部の動作を示す正面図であり、図６（Ｂ）は、ミラーユニット全体の動作を示す正面図である。なお、図中、実線は不使用時の状態、点線は使用時の状態を示す。
【００４０】
図６（Ａ）及び図６（Ｂ）の実線で示すような不使用時の状態において、使用時の状態に移行するための所定のスイッチ操作が行われると、これに応答して、モータギアボックス３ａ４に内蔵されるモータが回転し、その回転力は、ピニオンギア３ａ５を介して扇ギア３ａ２に伝達される。そうすると、扇ギア３ａ２は、３ａ２′に示す使用時の状態まで、回転軸３ａ２１を中心にして回転する。この扇ギア３ａ２の回転にともなって、アーム３ａ３は、保持部３ｂを、図中、上方に押し上げる。そうすると、保持部３ｂは、３ｂ′に示す使用時の状態まで、回転軸３ａ１を中心にして回転する。この結果、保持部３ｂに重載されるミラー部３ｃも、３ｃ′に示す使用時の状態に変位する。
【００４１】
逆に、図６（Ａ）及び図６（Ｂ）の点線で示すような使用時の状態において、不使用時の状態に移行するための所定のスイッチ操作が行われると、モータギアボックス３ａ４に内蔵されるモータは逆回し、上記と逆の動作により、ミラー部３ｃ′は、３ｃに示す不使用時の状態に変位する。なお、図中、３ｂ１′及び３ｂ２′はそれぞれ、不使用時におけるモータギアボックス及び軸受部の状態を示す。
【００４２】
更に、図７を用いて、収容部１ａに取り付けられたミラーユニット３の動作について説明する。図７（Ａ）〜図７（Ｄ）は、本発明の一実施形態に係るミラーユニットの動作を示す図である。
【００４３】
図７（Ａ）に示すように、使用時においては、ミラー３ｃ１の一部が開口部１ａ２の上方に突出した状態でミラー部３ｃは安定している。このとき、ミラーユニット３は上記図６（Ｂ）の点線で示すようになっている。また、この状態では、インパネカバー４は、開口部１ａ２を全開するように、インストルメントパネル１の下方に収納されている。
【００４４】
この状態から、不使用時の状態へ移行させるための所定のスイッチ操作が行われると、使用時に突出していたミラー３ｃ１の一部が開口部１ａ２の下方に降下して、図７（Ｂ）に示すように、ミラー３ｃ１全体が収容部１ａ内に収まる。図７（Ａ）から図７（Ｂ）への移行にともなうミラーユニット３の詳細な動作は、図６を用いて説明したとおりである。この状態では、ミラーユニット３は上記図６（Ｂ）の実線で示すようになっている。
【００４５】
続いて、インパネカバー４が、スライド溝４ｂにガイドされつつ、図７（Ｂ）及び図７（Ｃ）の矢印で示すように、徐々に開口部１ａ２を塞ぐように前進及びやや上昇していき、最終的に、図７（Ｄ）に示す不使用時の状態では、開口部１ａ２を完全に塞ぐように、開口部１ａ２に覆設される。インパネカバー４が開口部１ａ２に覆設されると、インパネカバー４はインストルメントパネル１と面一となる。なお、このようにインパネカバー４を動作させるためには、図示しないモータの回転力が利用される。
【００４６】
逆に、図７（Ｄ）に示すような不使用時の状態において、使用時の状態に移行するための所定のスイッチ操作が行われると、上記と逆の動作により、ミラーユニット３及びインパネカバー４は、図７（Ｃ）、図７（Ｂ）を経て、図７（Ａ）に示す使用時の状態に変位する。
【００４７】
なお、上記動作においては、ミラーユニット３の動作が終了した後に、インパネカバー４が動作開始するようになっているが、これらの動作は同時進行するようにしてもよい。但し、インパネカバー４の動作が、ミラーユニット３の回転動作を妨げることのないようにすることが必要である。
【００４８】
以上説明したように、本発明の実施形態によれば、不使用時には、表示像をドライバーに視認させることを無視し、すなわち、光学系を崩して、使用時に突出していたミラーの一部を収容部に収納させるようにしているので、収容部が増大することがない。特に、回転運動だけでミラー３ｃ１全体を収容部内に収めるようにしているので、ミラー３ｃ１収納のための駆動機構が簡易になる。また、ミラー３ｃ１全体を単にインストルメントパネル１内に押し込むのではなく、ミラーを回転させるようにしているので、ミラー３ｃ１全体をインストルメントパネル１内に収めるための収容部１ａが増大することがない。これらの結果、インストルメントパネル１上に隆起するカバー部材も不要となり、不使用時のインストルメントパネル１周りの美観を低下させることがない。
【００４９】
なお、上記実施形態で例示したミラー回転機構やアイレンジ調整機構は、本発明の主旨の範囲内で種々の変形が可能であり、そのような変形例も本発明に含まれる。
【図面の簡単な説明】
【００５０】
【図１】本発明の一実施形態に係るヘッドアップディスプレイ装置を概略的に示す斜視図である。
【図２】図２（Ａ）及び図２（Ｂ）は、本発明の一実施形態に係るヘッドアップディスプレイ装置の使用時及び不使用時における状態をそれぞれ概略的に示す図である。
【図３】図３（Ａ）及び図３（Ｂ）はそれぞれ、本発明の一実施形態に係るミラーユニット全体の正面図及び側面図である。
【図４】図４（Ａ）及び図４（Ｂ）はそれぞれ、図３のミラーユニットにおける固定部の正面図及び側面図である。
【図５】図５（Ａ）及び図５（Ｂ）はそれぞれ、図３のミラーユニットにおける固定部及び保持部の正面図及び側面図である。
【図６】図６（Ａ）は、ミラーユニットにおける固定部及び保持部の動作を示す正面図であり、図６（Ｂ）は、ミラーユニット全体の動作を示す正面図である。
【図７】図７（Ａ）〜図７（Ｄ）は、本発明の一実施形態に係るミラーユニットの動作を示す図である。
【符号の説明】
【００５１】
１  インストルメントパネル
２  メータ
３  ミラーユニット
４  インパネカバー
５  表示デバイス
６  ウインドシールド
３ａ  固定部
３ｂ  保持部
３ｃ  ミラー部
３ｃ１  ミラー
【図１】
2005331831.tif 000003
【図２】
2005331831.tif 000004
【図３】
2005331831.tif 000005
【図４】
2005331831.tif 000006
【図５】
2005331831.tif 000007
【図６】
2005331831.tif 000008
【図７】
2005331831.tif 000009